(57)【要約】【要  約】【課  題】    施工が容易で上下左右に隙間なく堅固に接続され、耐久性にも優れる木造建物における新規な壁材の取り付け構造を実現する。【解決手段】  壁材２および柱４の縦溝21、41で形成される空間内に細長い実ほぞ5aを挿入して水平方向を嵌合させるとともに、上下に隣接する壁材２の水平溝22で形成される空間内に細長い実ほぞ5bを挿入して水平方向を嵌合させる。【選択図】    図２
2006161433.tif 000002
【特許請求の範囲】
【請求項１】
外周４辺に縦溝（21）および水平溝（22）を形成した短冊状の壁材（２、2a）を横長向きにし、側面に縦溝（41）を形成した１対の柱（４）間に上下に連続して嵌め込んでなる木造建物における壁材の取り付け構造であって、壁材（２、2a）および柱（４）の縦溝（21、41）で形成される空間内に細長い実ほぞ（5a）を挿入して水平方向を嵌合させるとともに、上下に隣接する壁材（２、2a）の水平溝（22）で形成される空間内に細長い実ほぞ（5b）を挿入して上下方向を嵌合させたことを特徴とする木造建物における壁材の取り付け構造。
【請求項２】
短冊状の壁材（2b）を横長向きにし、側面に縦溝（41）を形成した１対の柱（４）間に上下に連続して嵌め込んでなる木造建物における壁材の取り付け構造であって、壁材（2b）と少なくとも片側の柱（４）の縦溝（41）との間に形成される空間内に細長い実ほぞ（5a）を挿入して水平方向を嵌合させることを特徴とする木造建物における壁材の取り付け構造。
【請求項３】
短冊状の壁材（2b）を横長向きにし、２枚重ねにして、側面に縦溝（41）を形成した１対の柱（４）間に上下に連続して嵌め込んでなる木造建物における壁材の取り付け構造であって、壁材（2b）と少なくとも片側の柱（４）の縦溝（41）との間に形成される空間内に細長い実ほぞ（5a）を挿入して水平方向を嵌合させることを特徴とする木造建物における壁材の取り付け構造。
【請求項４】
前記の壁材（２、2a、2b）が板状の木材である請求項１ないし３のいずれかに記載の木造建物における壁材の取り付け構造。
【発明の詳細な説明】
【技術分野】
【０００１】
本発明は、住宅等の木造建物における壁材の取り付け構造に関する。
【背景技術】
【０００２】
住宅等の木造建物における壁構造は、わが国の古来の木造建物においては外面は板材を上下方向に重ねながら取り付ける板羽目構造（下見張り）、室内側は塗り壁というものであるが、近年では木製の柱間にパネル材を嵌め込むパネル構造のものが多くなっている。
パネルは外壁と内壁が一体に製造されていて、取り付け金具等で柱や梁の骨組みにボルト締め等によって固定するが、断熱性や耐火性能の問題から樹脂等の化学物質が多く使用され、接着剤等にホルムアルデヒドを使用することから、居住者に「シックハウス症候群」と呼ばれる健康障害を引き起し問題となっている。
【０００３】
また、壁材として天然の木材を使用する場合、釘等を使用する取り付け構造は簡易ではあるが強度や耐久性、隙間対策等に問題がある。
一方、天然の丸太材を格子状に組み上げて建物を構成するログハウスも知られているが、この場合は建物の角部において直角に交差する丸太材を太さの半分ずつ切り欠いて重ね合わせる「相欠き接ぎ」という手法が採られ、切欠き部の加工に高度な技術を必要とするばかりでなく、上下方向の接続や隙間対策を別途必要とするなどの問題がある。
【発明の開示】
【発明が解決しようとする課題】
【０００４】
本発明は、施工が容易で上下左右に隙間なく堅固に接続され、耐久性にも優れる木造建物における新規な壁材の取り付け構造を実現することを目的とする。
【課題を解決するための手段】
【０００５】
請求項１に記載した本発明は、外周４辺に縦溝および水平溝を形成した短冊状の壁材を横長向きにし、側面に縦溝を形成した１対の柱間に上下に連続して嵌め込んでなる木造建物における壁材の取り付け構造であって、壁材および柱の縦溝で形成される空間内に細長い実ほぞを挿入して水平方向を嵌合させるとともに、上下に隣接する壁材の水平溝で形成される空間内に細長い実ほぞを挿入して上下方向を嵌合させたことを特徴とする木造建物における壁材の取り付け構造である。
【０００６】
請求項２に記載の本発明は、短冊状の壁材を横長向きにし、側面に縦溝を形成した１対の柱間に上下に連続して嵌め込んでなる木造建物における壁材の取り付け構造であって、壁材と少なくとも片側の柱の縦溝との間に形成される空間内に細長い実ほぞを挿入して水平方向を嵌合させることを特徴とする木造建物における壁材の取り付け構造である。
請求項３に記載の本発明は、短冊状の壁材を横長向きにし、２枚重ねにして、側面に縦溝を形成した１対の柱間に上下に連続して嵌め込んでなる木造建物における壁材の取り付け構造であって、壁材と少なくとも片側の柱の縦溝との間に形成される空間内に細長い実ほぞを挿入して水平方向を嵌合させることを特徴とする木造建物における壁材の取り付け構造である。
【０００７】
そして請求項４に記載の本発明は、前記の壁材が板状の木材である請求項１ないし３のいずれかに記載の木造建物における壁材の取り付け構造である。
【発明の効果】
【０００８】
本発明によれば、施工が容易で耐久性にすぐれ、健康障害を引き起すことのない木造建物の壁構造が実現し、木造建物のコストダウンと寿命の延長が図られるという、優れた効果を奏する。
【発明を実施するための最良の形態】
【０００９】
本発明においては、壁材は縦溝を設けた柱間に建具のように嵌め込んで取り付けられるので接着剤や釘、ボルト等を用いる必要がなく、施工はきわめて容易でしかも耐久性にすぐれた壁構造が実現する。以下具体的な各実施例を図面により説明する。
【実施例１】
【００１０】
本発明の第１の実施例を図１〜５により説明する。まず図１は本発明の壁材の取り付け構造による木造建物の一例を示す部分斜視図で、１は土台、２は壁材、３は梁、４は柱である。右側の部分は柱間に短冊状の壁材２が横長向きに、上下に連続して嵌め込まれて窓のない壁面を構成しているが、左側の部分は中間高さにも水平方向の梁３を設けて窓部Ｗを有する壁面としている。
【００１１】
図２は本発明における壁材２および水平方向、縦方向の実（さね）ほぞ5a、5bを示す斜視図、図３は壁材２の（ａ）は一部を切り欠いて示す部分正面図、（ｂ）は部分平面図、（ｃ）は側面図である。
まず壁材２は、外周４辺に縦溝21および水平溝22を形成した短冊状のもので、材質は例えば天然の木材である。また実ほぞ5a、5bは四角断面の細長い棒状で、木材であれば貫（ぬき）に相当する。材質は必ずしも壁材と同じでなくてもよい。強度、気密性、施工性などの要因から適宜選択すればよいし、金属棒の表面にゴムを被覆したものなどの複合材を使用してもよい。
【００１２】
寸法例を挙げると、建物のモジュール、すなわち柱の中心間隔を1820ｍｍ、柱を120ｍｍ角として、壁材２の寸法は縦300ｍｍ、水平方向の長さ1700ｍｍ、厚さ105ｍｍ、縦溝21および水平溝22はほぼ板厚中央に幅40ｍｍ、深さ15ｍｍ、実ほぞ5a、5bは断面が幅40ｍｍ、高さ30ｍｍ、長さは縦方向に使用する実ほぞ5aが例えば600ｍｍ、水平方向の実ほぞ5bは壁材２に合わせ1700ｍｍである。
【００１３】
本発明の取り付け構造においては、壁材２相互、あるいは壁材２と梁３、壁材２と柱４との間を実ほぞ5a、5bを介して隙間なく接合する。このような接合構造を一般に板はぎ、あるいは実（さね）はぎという。実ほぞ（単に「実（さね）」ともいう）は本来一方の板材の側面を削り出して形成した板材と一体のものであり、本発明のように接合する両側の板材に溝（小穴ともいう）を設け、実ほぞを別物とする場合は「雇い実」というべきであるが、本明細書では略して「実ほぞ」という。
【００１４】
図４は本発明における壁材２の水平方向の柱との接合構造を説明する斜視図で、この図では壁材２の水平溝は省略している。両側の柱４の壁材２を取り付ける側面には縦溝41が設けてある。
この両側の縦溝41の底部の間隔に相当する板材を両側の柱間に落とし込んで壁面を形成する壁構造は「相迫（あぜり）羽目」として古来知られているが、この場合の壁材は柱の内側間隔よりも長いから、上方から落とし込む以外に取り付けできず、上部の梁を後から取り付けねばならないなど施工手順の制約がある。本発明の壁材２の場合、壁材２の水平方向の長さは両側の柱４の内側間隔に対応する長さしかないので、上方からだけでなく前面からでも自由に柱の内側の取り付け位置に取り込むことができ、施工が容易である。壁材２を取り付け位置に保持しておいて両側の縦溝、すなわち壁材２の縦溝21と柱４の縦溝41との両者で形成される空間内に実ほぞ5aを挿入すれば壁材２は固定される。実ほぞ5aを壁材２の高さに対して少なくとも２倍程度の長いものにすれば施工が容易で、かつ隙間も少なくなるので好ましい。実ほぞ5aの上下の切り口に凹凸を設けて嵌合させるようにすれば、隙間風、雨水、光等の透過を妨げることができるので好ましい。
【００１５】
図５は本発明における壁材２の上下方向の接合構造を説明する斜視図で、この図では壁材２の縦溝は省略している。壁材２の上下面には水平溝22が設けてある。また下部の土台１の上面にも水平溝11が設けてある。図５に示すように、土台１の水平溝11に実ほぞ5bを嵌合させ、その上に壁材２を取り付け、さらにその上面の水平溝22に実ほぞ5bを嵌めてさらにつぎつぎに壁材２を取り付けて行く。つまり、上下に隣接する土台１や壁材２の水平溝11、22で形成される空間内に実ほぞ5bを挿入して上下方向を嵌合させるわけである。
【００１６】
上部の梁３がすでに設置されている場合には、最上段の壁材2aはそれまでと同様には取り付けることができないので、例えば図５に示すように最上段の壁材2aの上面端部および梁３のこれに対応する部分に段差部23、31を加工して栓孔とし、この中へ栓６を打ち込んで最上段の壁材2aを固定すればよい。この他、壁材２とほぼ同じ水平方向長さを有するくさび状のものを梁３との間に打ち込んでもよい。
【００１７】
なお壁材２は、必ずしも木材でなくてもよい。金属板と断熱材との複合パネルや、樹脂ボードなどでもよいが、不燃処理を施した天然木材であれば、居住性、美観、断熱性等多くの点において申し分ない壁面を構成することができる。
本発明の壁材の取り付け構造においては、とくに経年劣化する部分がないから耐久性にすぐれ、また同一寸法の壁材を工場において大量に生産するようにして現地施工を少なくすることによって部材の信頼性を高めるとともに建築コストを切り下げることができる。
【００１８】
また、化学物質等の接着剤を使用しなくてよいから、健康障害をひきおこすおそれがない。
【実施例２】
【００１９】
本発明の第２の実施例を図６、７により説明する。図６はこの第２の実施例における壁材の、柱との接合構造を説明する斜視図、図７は柱部分の水平断面図で、2bは壁材、７は縦胴縁である。第１の実施例との相違は壁材2bが外周に溝を形成したものではなく単なる短冊状のものであり、例えばツーバイフォー構法に使用される２インチ厚の合板などが使用できる。この場合壁材2bの厚みは38ｍｍである。
【００２０】
短冊状の壁材2bを横長向きにし、側面に縦溝41を形成した１対の柱４、４間に上下に連続して嵌め込み、壁材2bと少なくとも片側の柱４の縦溝41との間に形成される空間内に細長い実ほぞ5aを挿入して水平方向を嵌合させて壁面を構成するのは第１の実施例と同様であるが、壁材2bの水平方向長さと柱４の縦溝41の深さを適当に選定することにより、古来の建具の嵌め込みと同様、一方の溝の深さ一杯まで移動させて実ほぞ5aを挿入すれば実ほぞ5aは片側だけ使用すればよい。
【００２１】
壁材2bが薄いものであるのに対して柱４を第１の実施例と同寸法とすると、縦溝41の幅に余裕があるので、図7に示すようにこの余った縦溝41内に縦胴縁７を挿入して壁材2bを固定し、この縦胴縁７に対してさらに室内側に例えば図７に示すような石膏ボード８を釘打ちなどにより取り付ければ壁材2bと石膏ボード８との間に空気層（空間）が形成され、断熱性のよい壁面を構成することができる。
【実施例３】
【００２２】
本発明の第３の実施例を図８、９により説明する。図８はこの第３の実施例における壁材の、柱との接合構造を説明する斜視図、図９は柱部分の水平断面図である。短冊状の壁材2bを横長向きにし、２枚重ねにして、側面に縦溝41を形成した１対の柱４、４間に上下に連続して嵌め込み、壁材2bと少なくとも片側の柱４の縦溝４１との間に形成される空間内に細長い実ほぞ5aを挿入して水平方向を嵌合させるなる壁材の取り付け構造である。第２の実施例との相違は壁材2bをうすくした分、縦胴縁７の代わりに同じ壁材2bを２枚重ねにした点で、壁材2bはやはり例えばツーバイフォー構法に使用される２インチ厚の合板である。実ほぞ5aの幅は壁材2bの２枚分でよい。
【００２３】
図８に示すように、２枚重ねの壁材2bを半ピッチずらすようにすると隙間がふさがり、気密性を向上させることができる。
【図面の簡単な説明】
【００２４】
【図１】本発明の第１の実施例の壁材の取り付け構造による木造建物の一例を示す部分斜視図である。
【図２】本発明の第１の実施例における壁材および実ほぞの一例を示す斜視図である。
【図３】本発明の第１の実施例における壁材の部分正面図、部分平面図および側面図である。
【図４】本発明の第１の実施例における壁材の柱との接合構造を説明する斜視図である。
【図５】本発明の第１の実施例における壁材の上下方向の接合構造を説明する斜視図である。
【図６】本発明の第２の実施例における壁材の柱との接合構造を説明する斜視図である。
【図７】図６の接合構造における柱部分の水平断面図である。
【図８】本発明の第３の実施例における壁材の柱との接合構造を説明する斜視図である。
【図９】図８の接合構造における柱部分の水平断面図である。
【符号の説明】
【００２５】
１    土台
２、2a、2b    壁材
３    梁
４    柱
5a、5b    実ほぞ
６    栓
７    縦胴縁
８    石膏ボード
11、22    水平溝
21、41    縦溝
23、31    段差部
Ｗ    窓部
【図１】
2006161433.tif 000003
【図２】
2006161433.tif 000004
【図３】
2006161433.tif 000005
【図４】
2006161433.tif 000006
【図５】
2006161433.tif 000007
【図６】
2006161433.tif 000008
【図７】
2006161433.tif 000009
【図８】
2006161433.tif 000010
【図９】
2006161433.tif 000011